(57)【要約】      （修正有）【課題】太陽光に含まれる紫外線を検出し、防護対策をたてるための太陽光の紫外線検出製品を提供する。【解決手段】太陽光の紫外線検出製品は、紫外線防護部と、紫外線防護部に設けられている紫外線検出モジュールとを含む。紫外線検出モジュールは、センサーとスイッチとＬＥＤランプとを含む。スイッチを押して、センサーによって現在の環境中に含まれる紫外線を検出する。パラソル、サングラス、サンボンネット及び化粧瓶に、この紫外線検出モジュールを設けることで、ユーザに太陽光に含まれる紫外線を好便に検出させ防護することができる。【選択図】図１
0003203913.tif 000002
【実用新案登録請求の範囲】
【請求項１】
太陽光に含まれる紫外線を検出する太陽光の紫外線検出製品において、
紫外線防護部と、前記紫外線防護部に設けられている紫外線検出モジュールとを備えて、
前記紫外線検出モジュールは、センサーとスイッチとＬＥＤランプとを備えて、
前記スイッチを押して、
前記センサーによって現在の環境中に含まれる紫外線を検出することを特徴とする太陽光の紫外線検出製品。
【請求項２】
前記太陽光の紫外線検出製品は化粧瓶であり、
前記化粧瓶はキャップを含み、
前記紫外線検出モジュールは、前記キャップ或いは前記紫外線防護部に接続されていることを特徴とする請求項１に記載の太陽光の紫外線検出製品。
【請求項３】
前記太陽光の紫外線検出製品はサンボンネットであり、
前記紫外線防護部は帽子であり、
前記紫外線検出モジュールは、前記帽子に設けられていることを特徴とする請求項１に記載の太陽光の紫外線検出製品。
【請求項４】
前記太陽光の紫外線検出製品はパラソルであり、
前記紫外線防護部は傘カバーであり、
前記紫外線検出モジュールは、パラソルの柄に設けられていることを特徴とする請求項１に記載の太陽光の紫外線検出製品。
【請求項５】
前記太陽光の紫外線検出製品はサングラスであり、
前記紫外線防護部はレンズであり、
前記紫外線検出モジュールは、フレームに設けられていることを特徴とする請求項１に記載の太陽光の紫外線検出製品。
【考案の詳細な説明】
【技術分野】
【０００１】
この考案は、検出の技術分野、特に、紫外線の検出に関する。
【背景技術】
【０００２】
従来、人たちは現在の環境中に含まれる紫外線の状況を直感的に知ることができないので、時を移さず紫外線に防護対策をたてることができない。さらに、紫外線をインテリジェントに防ぐことができない。
【考案の概要】
【考案が解決しようとする課題】
【０００３】
人たちは現在の環境中に含まれる紫外線の状況を直感的に知ることができないので、時を移さず紫外線に防護対策をたてることができない。さらに、紫外線をインテリジェントに防ぐことができない。
【０００４】
この考案は、上記事情に鑑みなされたもので、ユーザに太陽光に含まれる紫外線を好便に検出させることができるために太陽光の紫外線検出製品を提供することを目的とする。
【課題を解決するための手段】
【０００５】
上述した課題を解決し目的を達成するために、この考案に係わる太陽光の紫外線検出製品は、請求項１の記載によれば、太陽光に含まれる紫外線を検出する太陽光の紫外線検出製品において、紫外線防護部と、前記紫外線防護部に設けられている紫外線検出モジュールとを備えて、前記紫外線検出モジュールは、センサーとスイッチとＬＥＤランプとを備えて、前記スイッチを押して、前記センサーによって現在の環境中に含まれる紫外線を検出することを特徴としている。
【０００６】
また、この考案に係わる太陽光の紫外線検出製品は、請求項２の記載によれば、前記太陽光の紫外線検出製品は化粧瓶であり、前記化粧瓶はキャップを含み、前記紫外線検出モジュールは、前記キャップ或いは前記紫外線防護部に接続されていることを特徴としている。
【０００７】
また、この考案に係わる太陽光の紫外線検出製品は、請求項３の記載によれば、前記太陽光の紫外線検出製品はサンボンネットであり、前記紫外線防護部は帽子であり、前記紫外線検出モジュールは、前記帽子に設けられていることを特徴としている。
【０００８】
また、この考案に係わる太陽光の紫外線検出製品は、請求項４の記載によれば、前記太陽光の紫外線検出製品はパラソルであり、前記紫外線防護部は傘カバーであり、前記紫外線検出モジュールは、パラソルの柄に設けられていることを特徴としている。
【０００９】
また、この考案に係わる太陽光の紫外線検出製品は、請求項５の記載によれば、前記太陽光の紫外線検出製品はサングラスであり、前記紫外線防護部はレンズであり、前記紫外線検出モジュールは、フレームに設けられていることを特徴としている。
【考案の効果】
【００１０】
以上説明したように、この考案によれば、パラソル、サングラス、サンボンネット及び化粧瓶に、前記紫外線検出モジュールを設けることで、ユーザに太陽光に含まれる紫外線を好便に検出させることができる。
【図面の簡単な説明】
【００１１】
【図１】この考案における太陽光の紫外線検出システムの構成図である。
【図２】この考案における電気回路の構成図である。
【図３】この考案におけるブルートゥースＭＣＵ制御ユニットの構成図である。
【図４】この考案におけるブルートゥースアンテナインピーダンス整合ユニットの構成図である。
【図５】この考案における紫外線検出ユニットの構成図である。
【図６Ａ】この考案における化粧瓶の第１の構成図である。
【図６Ｂ】この考案における化粧瓶の第２の構成図である。
【図６Ｃ】この考案における化粧瓶の第３の構成図である。
【図６Ｄ】この考案における化粧瓶の紫外線検出モジュールの構成図である。
【図６Ｅ】この考案における化粧瓶の紫外線検出モジュールの別の角度での構成図である。
【図７Ａ】この考案における紫外線検出サンボンネットの構成図である。
【図７Ｂ】この考案における紫外線検出サンボンネットの別の角度での構成図である。
【図７Ｃ】この考案における紫外線検出サンボンネットの第３の角度での構成図である。
【図８Ａ】この考案における紫外線検出パラソルの構成図である。
【図８Ｂ】この考案における紫外線検出パラソルの別の角度での構成図である。
【図９】この考案における紫外線検出パラソルの第３の角度での構成図である。
【考案を実施するための形態】
【００１２】
以下、この考案の形態について図面を参照しながら具体的に説明する。
【００１３】
この考案を実施するための形態１
形態１における太陽光の紫外線検出製品は紫外線検出付きの化粧瓶である。
【００１４】
図６Ａ〜図６Ｅに示されているように、図６Ａ〜図６Ｅはこの考案における3種類の化粧瓶の構成図であり、図６Ｄはこの考案における化粧瓶の紫外線検出モジュールの構成図であり、図６Ｅはこの考案における化粧瓶の紫外線検出モジュールの別の角度での構成図である。この考案における製品は複数の形態を有して、図６Ａ〜図６Ｅが典型的な形態を示す。この考案における化粧瓶は、紫外線検出モジュール１０１、キャップ１０２、紫外線防護部１０３、センサー１０４、ＬＥＤランプ１０５及びスイッチ１０６を備える。
【００１５】
紫外線を検出する時或いは紫外線を防御する時、キャップ１０２を開ける。現在の環境を検出する時に、紫外線検出モジュール１０１を使用して、紫外線を検出する。スイッチ１０６を押してＬＥＤランプ１０５を点灯させ、センサー１０４によって現在の環境中に含まれる紫外線を検出する。且つ、ブルートゥース（登録商標）によって、携帯電話ＡＰＰに接続されて、現在の環境中に含まれる紫外線の状況を知る。これを参考に紫外線を効果的に防ぐ。現在の環境中に含まれる紫外線を検出した後、ＡＰＰ上の視覚化したデータを参考に、紫外線防護部１０３を利用して、肌を速やかに効率的なケアするように科学的、合理的な紫外線対策をたてる。
【００１６】
この考案を実施するための形態２
図７Ａ〜図７Ｃに示されているように、形態２における太陽光の紫外線検出製品は紫外線検出付きのサンボンネットである。
【００１７】
このサンボンネットは、紫外線検出モジュール２０１、紫外線防護部２０３、センサー２０４、ＬＥＤランプ２０５及びスイッチ２０６を備える。
【００１８】
現在の環境中に含まれる紫外線を検出することが必要とされる時、スイッチ２０６を押してＬＥＤランプ２０５を点灯させ、センサー２０４によって現在の環境中に含まれる紫外線を検出する。紫外線検出モジュール２０１によって現在の環境中に含まれる紫外線を検出した後、ＡＰＰ上の視覚化したデータを参考に、紫外線防護部２０３を利用して、肌を速やかに効率的なケアするように科学的、合理的な紫外線対策をたてる。
【００１９】
この考案を実施するための形態３
図８Ａ〜図８Ｂに示されているように、形態３における太陽光の紫外線検出製品は紫外線検出付きのパラソルである。
【００２０】
このパラソルは、紫外線検出モジュール３０１、紫外線防護部３０３、センサー３０４、ＬＥＤランプ３０５及びスイッチ３０６を備える。
【００２１】
現在の環境中に含まれる紫外線を検出することが必要とされる時、スイッチ３０６を押してＬＥＤランプ３０５を点灯させ、センサー３０４によって現在の環境中に含まれる紫外線を検出する。紫外線検出モジュール３０１によって現在の環境中に含まれる紫外線を検出した後、ＡＰＰ上の視覚化したデータを参考に、紫外線防護部３０３を利用して、肌を速やかに効率的なケアするように科学的、合理的な紫外線対策をたてる。
【００２２】
この考案を実施するための形態４
図９に示されているように、形態４における太陽光の紫外線検出製品は紫外線検出付きのサングラスである。
【００２３】
このサングラスは、紫外線検出モジュール４０１、紫外線防護部４０３、センサー４０４、ＬＥＤランプ４０５及びスイッチ４０６を備える。
【００２４】
現在の環境中に含まれる紫外線を検出することが必要とされる時、スイッチ４０６を押してＬＥＤランプ４０５を点灯させ、センサー４０４によって現在の環境中に含まれる紫外線を検出する。紫外線検出モジュール４０１によって現在の環境中に含まれる紫外線を検出した後、ＡＰＰ上の視覚化したデータを参考に、紫外線防護部４０３を利用して、肌を速やかに効率的なケアするように科学的、合理的な紫外線対策をたてる。
【００２５】
上述した各実施形態の紫外線検出モジュールは、下記の紫外線検出システムを含んでもよいが、下記の紫外線検出システムに限定されない。
【００２６】
図１に示されているように、図１はこの考案における太陽光の紫外線検出システムの構成図である。この太陽光の紫外線検出システムは、ブルートゥースＭＣＵ制御ユニット、ブルートゥースアンテナインピーダンス整合ユニット及び紫外線検出ユニットを備える。
【００２７】
この太陽光の紫外線検出システムは、ブルートゥース技術によって、端末装置（例えば携帯電話、アイパッド（登録商標））に接続し、検出された紫外線強度データを端末に送信するための手段である。この太陽光の紫外線検出システムは、主として、太陽光に含まれる波長２８０ｎｍ〜４００ｎｍの紫外線（即ちＵＶ−ＡとＵＶ−Ｂ）を検出する。まず、アプリケーションプログラム（即ちＭｉＬｉ  ＳｋｉｎＭａｔｅ  ＡＰＰ）は、端末にインストールされる。この考案におけるボタンを押した場合、ブルートゥースＭＣＵは、同報通信を送る。この時点で、端末装置において、端末装置のブルートゥースを起動し、前記同報通信のＳＳＩＤをＡＰＰのインタフェースに選択し、このシステムにマッチングして接続した後、ブルートゥースＭＣＵアルゴリズムを使用して検出された紫外線強度値に対する演算し、演算結果を端末のＡＰＰに送信する。従って、現在の環境中に含まれる紫外線の状況を視覚的に表示する。
【００２８】
センサーによって、ＳＯＩ技術を使用して、紫外線強度を検知し、検知された紫外線強度をアナログ電圧に変換して出力し、出力電圧、ＡＤＣ電圧及びＵＶＩの関係に基づいて、出力されたアナログ電圧をＵＶＩに換算し（ＵＶＩ＝１２．５＊△Ｖｏｕｔ，△Ｖｏｕｔ＝０．１２Ｖ＠ｌｍｗ／ｍ２），換算されたＵＶＩを数値形式で携帯電話ＡＰＰに示す。
【００２９】
図２と図３に示されているように、図２はこの考案における電気回路の構成図であり、図３はこの考案におけるブルートゥースＭＣＵ制御ユニットの構成図である。
【００３０】
ブルートゥースＭＣＵ制御ユニットの主要な機能はＡＤのサンプリング検出、データ信号の受信と送信、及びロジックの制御である。ブルートゥースＭＣＵ制御ユニットの第５ピンと第８ピンとが、紫外線検出ユニットに接続され、積分増幅器から得られた積分値を検出する。ＬＥＤランプの状態を制御するために、ブルートゥースＭＣＵ制御ユニットの第７ピンがプルアップ（ｐｕｌｌ−ｕｐ）されて、抵抗Ｒ３及びＬＥＤランプに接続されている。ブルートゥースＭＣＵ制御ユニットの第３１ピン及び３２ピンが、ブルートゥースアンテナインピーダンス整合ユニットに接続されている。
【００３１】
図４に示されているように、図４はこの考案におけるブルートゥースアンテナインピーダンス整合ユニットの構成図である。このユニットは、主としてブルートゥースＭＣＵとマッチングする役割、及びオンボードアンテナ部とマッチングする役割を担う。これにより、この考案は端末（即ち携帯電話、アイパッド）との間で長距離データ転送を確実に行うことができる。
【００３２】
図５に示されているように、図５はこの考案における紫外線検出ユニットの構成図である。この紫外線検出ユニットは、ブランド紫外線センサーを使用する。このセンサーは、第一のＳＯＩ技術を用いて作製されたシリコン製品である。ＳＯＩ技術は、トップシリコンと基板の間に埋め込み酸化層をつくる。ＳＯＩ技術は、バルクシリコンにない長所がある。ＳＯＩ技術は、集積回路における部品の誘電体分離を実現することができ、徹底的にバルクシリコンＣＭＯＳ回路における寄生効果及びラッチアップを除去していた。この材料を用いて作製された集積回路は、小さい寄生容量、高い集積密度、速い速度、単純な技術、小さい短チャネル効果、および特に低電圧低電力消費の回路に適用すること等の優勢がある。これらの優勢により、この考案は、検出された現在のＵＶＩについて、高精度に急速に紫外線照射で皮膚に異常反応が起こるのを避けることに関する防護アドバイスをユーザーに提供することができる。紫外線がセンサーに照射されている時、センサーにおけるトップシリコンから構成されるＵＶフォトダイオードは、一定強度での紫外線の照射を受けて対応する低電流を発生する。発生された低電流はセンサーにおけるＯＰ増幅器を介して、対応する出力電圧値を得る。ＭＣＵサンプリングには、前記の出力電圧値が供給される。
【００３３】
この太陽光の紫外線検出システムは、ブルートゥースＭＣＵ制御ユニット、ブルートゥースアンテナインピーダンス整合ユニット及び紫外線検出ユニットを備える。紫外線が紫外線検出ユニットに照射されている時、紫外線検出ユニットにおけるトップシリコンから構成されるＵＶフォトダイオードは、一定強度での紫外線の照射を受けて対応する低電流を発生する。発生された低電流は紫外線検出ユニットにおけるＯＰ増幅器を介して、対応する出力電圧値を得る。ブルートゥースＭＣＵ制御ユニットサンプリングには、前記の出力電圧値が供給される。ブルートゥースＭＣＵ制御ユニットの機能は、ＡＤのサンプリング検出、データ信号の受信と送信、及びロジックの制御である。ブルートゥースアンテナインピーダンス整合ユニットの機能は、ブルートゥースＭＣＵ制御ユニットとマッチングする役割、及びオンボードアンテナ部とマッチングする役割を担う。これにより、本システムは端末との間で長距離データ転送を確実に行うことができる。
【００３４】
前記紫外線検出ユニットは、ＳＯＩ技術を用いて作製されたシリコン製品である。ＳＯＩ技術は、トップシリコンと基板の間に埋め込み酸化層をつくる。
【００３５】
紫外線検出ユニットによって、ＳＯＩ技術を使用して、紫外線強度を検知し、検知された紫外線強度をアナログ電圧に変換して出力し、出力電圧、ＡＤＣ電圧及びＵＶＩの関係に基づいて、出力されたアナログ電圧をＵＶＩに換算し、換算されたＵＶＩを数値形式で端末に示す。
【００３６】
前記ブルートゥースＭＣＵ制御ユニットの第５ピン及び第８ピンが、紫外線検出ユニットに接続され、積分増幅器から得られた積分値を検出する。
【００３７】
前記紫外線検出ユニットはチップＵ２を含む。前記チップＵ２のＯＵＴピンが、前記ブルートゥースＭＣＵ制御ユニットの第５ピンに接続されている。前記チップＵ２のＥＮピンが、前記ブルートゥースＭＣＵ制御ユニットの第８ピンに接続されている。前記チップＵ２のＴＲピンが、第１７容量Ｃ１７に接続された後、接地されている。前記チップＵ２のＧＮＤピンが接地されている。前記チップＵ２のＶＤＤピンが電源ＶＣＣに接続されている。第１５容量Ｃ１５が、前記チップＵ２のＧＮＤピンと前記チップＵ２のＶＤＤピンの間に接続されている。
【００３８】
ＬＥＤランプの状態を制御するために、前記ブルートゥースＭＣＵ制御ユニットの第７ピンがプルアップ（ｐｕｌｌ−ｕｐ）されて、抵抗Ｒ３及びＬＥＤランプに接続されている。
【００３９】
前記ブルートゥースＭＣＵ制御ユニットの第３１ピン及び第３２ピンが、ブルートゥースアンテナインピーダンス整合ユニットに接続されている。
【００４０】
前記ブルートゥースアンテナインピーダンス整合ユニットの回路は、第一コイルＬ１、第二コイルＬ２、第三コイルＬ３、第四コイルＬ４、第三容量Ｃ３、第四容量Ｃ４、第五容量Ｃ５、第六容量Ｃ６、第十四容量Ｃ１４、第十六容量Ｃ１６及びアンテナを含む。前記アンテナ、第十六容量Ｃ１６、第十四容量Ｃ１４、第五容量Ｃ５、第一コイルＬ１、第二コイルＬ２、第三容量Ｃ３が順次直列接続された後、接地されている。前記第一コイルＬ１と第五容量Ｃ５との間のリード線が、前記ブルートゥースＭＣＵ制御ユニットの第３２ピンに接続されている。前記第一コイルＬ１と第二コイルＬ２との間のリード線が、前記ブルートゥースＭＣＵ制御ユニットの第３１ピンに接続されている。前記第二コイルＬ２と第三容量Ｃ３との間のリード線が、前記ブルートゥースＭＣＵ制御ユニットの第３０ピンに接続されている。前記第四容量Ｃ４が、前記第五容量Ｃ５と第十四容量Ｃ１４との間に接続された後、接地されている。第六容量Ｃ６が、前記第十四容量Ｃ１４と第十六容量Ｃ１６との間に並列に接続された後、接地されている。第四コイルＬ４が、前記第十六容量Ｃ１６とアンテナとの間に接続された後、接地されている。
【００４１】
前記ブルートゥースＭＣＵ制御ユニットは４８つのピンを含むチップであり、第１ピンが電源ＶＣＣに接続され、且つ第１ピンが第十二容量Ｃ１２を介して接地され、第９ピンがスイッチに接続され、第１２ピンが電源ＶＣＣに接続され、且つ第１２ピンが第十一容量Ｃ１１を介して接地され、第１３ピンが接地され、第２４ピンが第一抵抗Ｒ１を介して接地され、第２３ピンがＤ点に接続され、第２４ピンがＣ点に接続され、Ｇ点が接地されている。ここで、Ｄ点、Ｃ点及びＧ点は、ＭＣＵのバーニングピン（ｂｕｒｎｉｎｇ  ＰＩＮ）である。第２９ピンが第十一容量Ｃ１１を介して接地され、第３３ピン及び第３４ピンが接地され、第３５ピン及び第３６ピンが電源ＶＣＣに接続され、第３５ピン及び第３６ピンが第九容量Ｃ９を介して接地され、第３７ピンが第一容量Ｃ１を介して接地され、第３８ピンが第二容量Ｃ２を介して接地され、水晶発振器Ｙ１が第３７ピンと第３８ピンとの間に接続されている。第３９ピンが第八容量Ｃ８を介して接地されている。
【００４２】
太陽光の紫外線検出方法は、上記太陽光の紫外線検出システムを利用して、以下のステップを実行することにより、太陽光に含まれる紫外線を検出する。ステップ一：アプリケーションプログラムは、端末にインストールされる。ステップ二：検出システムのスタートボタンを押し、ブルートゥースＭＣＵ制御ユニットは、同報通信を送る。この時点で、端末装置において、端末装置のブルートゥースを起動し、それに続いて、前記同報通信のブルートゥース信号をＡＰＰのインタフェースに選択する。この検出システムにマッチングして接続した後、紫外線検出システムは、太陽の光の下に配置され、センサー面は太陽の光側を向いている。ステップ三：ブルートゥースＭＣＵアルゴリズムを使用して、ブルートゥース検出システムにより検出された紫外線強度値に対する演算し、演算結果を端末のＡＰＰに送信する。従って、紫外線強度値を視覚的に表示する。
【００４３】
以上、本考案の好適な実施の形態について詳細に説明する。上記のように実施形態で説明される構成の全てが本考案の解決手段として必須であるとは限らない。上記のように本実施形態について詳細に説明したが、本考案の新規事項および効果から実体的に逸脱しない多くの変形が可能であることは当業者には容易に理解できるであろう。従って、このような変形例はすべて本考案の範囲に含まれるものとする。
【産業上の利用可能性】
【００４４】
以上詳述したように、この考案に係わる太陽光の紫外線検出製品を用いることにより、ユーザは好便に紫外線を検出することができる。
【符号の説明】
【００４５】
１０１、２０１、３０１、４０１  紫外線検出モジュール
１０２、キャップ
１０３、２０３、３０３、４０３  紫外線防護部
１０４、２０４、３０４、４０４、センサー
１０５、２０５、３０５、４０５  ＬＥＤランプ
１０６、２０６、３０６、４０６  スイッチ
ＵＶ  ＵｌｔｒａＶｉｏｌｅｔ簡略，紫外線
ＯＰ  運算
ＡＤＣ  アナログ-ディジタル
ＵＶＩ  紫外線指数グレード
【図１】
0003203913.tif 000003
【図２】
0003203913.tif 000004
【図３】
0003203913.tif 000005
【図４】
0003203913.tif 000006
【図５】
0003203913.tif 000007
【図６Ａ】
0003203913.tif 000008
【図６Ｂ】
0003203913.tif 000009
【図６Ｃ】
0003203913.tif 000010
【図６Ｄ】
0003203913.tif 000011
【図６Ｅ】
0003203913.tif 000012
【図７Ａ】
0003203913.tif 000013
【図７Ｂ】
0003203913.tif 000014
【図７Ｃ】
0003203913.tif 000015
【図８Ａ】
0003203913.tif 000016
【図８Ｂ】
0003203913.tif 000017
【図９】
0003203913.tif 000018